(57)【要約】【課題】チャンネルスキャンの所要時間の増大を抑えつつ、強電界、弱電界性能に加え、多波妨害性能にも追従できる適切なゲイン調整を行うことを実現する。【解決手段】ＴＶチューナ用デバイスドライバ１５０は、チャンネルスキャン時、周波数を目的のチャンネルの周波数に設定する際、ゲインをオンに設定する。この設定を行った状態で受信ステータス情報（第１の受信ステータス情報）を取得し、テレビジョン放送信号の入力レベルをチェックし、入力レベルが第１のしきい値以上で第２のしきい値未満のチャンネルのみについて、受信ステータス情報が受信不可を示しているならば、ゲインをオフに再設定して受信ステータス情報（第２の受信ステータス情報）を改めて取得し、これら２つの受信ステータス情報に基づき、当該チャンネルの受信可否の判定およびゲインのオンまたはオフの設定の決定を行う。【選択図】図１
2011147029.tif 000002
【特許請求の範囲】
【請求項１】
テレビジョン放送信号を入力するための入力手段と、
前記入力手段を介して受信可能な複数のチャンネルのテレビジョン放送信号の中から目的のチャンネルのテレビジョン放送信号を選択して受信するためのチューナと、
前記入力手段と前記チューナとの間に介在して設けられ、前記チューナに供給されるテレビジョン放送信号を増幅するための増幅器と、
前記増幅器をオンに設定した状態で前記チューナから取得される受信チャンネルのテレビジョン放送信号の第１の受信ステータス情報と、前記増幅器をオフに設定した状態で前記チューナから取得される受信チャンネルのテレビジョン放送信号の第２の受信ステータス情報とを用いて、各チャンネルの受信可否の判定および前記増幅器のオンまたはオフの設定を行うプリセット手段と、
を具備することを特徴とする電子機器。
【請求項２】
前記プリセット手段は、前記増幅器をオンに設定し、これによって前記チューナから得られる前記第１の受信ステータス情報に含まれるテレビジョン放送信号の入力レベル情報が第１のしきい値未満である場合、前記第１の受信ステータス情報に含まれる受信可否情報が受信可を示す場合には、当該受信チャンネルについて前記増幅器をオンに設定することを決定するとともに受信可能であると判定し、受信不可を示す場合には、当該受信チャンネルは受信不可であると判定することを特徴とする請求項１記載の電子機器。
【請求項３】
前記プリセット手段は、前記増幅器をオンに設定したことによって前記チューナから得られる前記第１の受信ステータス情報に含まれるテレビジョン放送信号の入力レベル情報が前記第１のしきい値よりも大きい第２のしきい値を越えている場合、前記増幅器をオフに再設定し、これによって前記チューナから得られる前記第２の受信ステータス情報に含まれる受信可否情報が受信可を示す場合には、当該受信チャンネルについて前記増幅器をオフに設定することを決定するとともに受信可能であると判定し、受信不可を示す場合には、当該受信チャンネルは受信不可であると判定することを特徴とする請求項２記載の電子機器。
【請求項４】
前記プリセット手段は、前記増幅器をオンに設定したことによって前記チューナから得られる前記第１の受信ステータス情報に含まれるテレビジョン放送信号の入力レベル情報が前記第１のしきい値以上であって前記第２のしきい値未満である場合、前記第１の受信ステータス情報に含まれる受信可否情報が受信可を示す場合には、当該受信チャンネルについて前記増幅器をオンに設定することを決定するとともに受信可能であると判定し、受信不可を示す場合、前記増幅器をオフに再設定し、これによって前記チューナから得られる前記第２の受信ステータス情報に含まれる受信可否情報が受信可を示す場合には、当該受信チャンネルについて前記増幅器をオフに設定することを決定するとともに受信可能であると判定し、受信不可を示す場合には、当該受信チャンネルは受信不可であると判定することを特徴とする請求項３記載の電子機器。
【請求項５】
前記プリセット手段は、前記増幅器をオフに設定し、これによって前記チューナから得られる前記第２の受信ステータス情報に含まれるテレビジョン放送信号の入力レベル情報が第１のしきい値よりも大きい第２のしきい値を越えている場合、前記第２の受信ステータス情報に含まれる受信可否情報が受信可を示す場合には、当該受信チャンネルについて前記増幅器をオフに設定することを決定するとともに受信可能であると判定し、受信不可を示す場合には、当該受信チャンネルは受信不可であると判定することを特徴とする請求項１記載の電子機器。
【請求項６】
前記プリセット手段は、前記増幅器をオフに設定したことによって前記チューナから得られる前記第２の受信ステータス情報に含まれるテレビジョン放送信号の入力レベル情報が前記第１のしきい値未満である場合、前記増幅器をオンに再設定し、これによって前記チューナから得られる前記第１の受信ステータス情報に含まれる受信可否情報が受信可を示す場合には、当該受信チャンネルについて前記増幅器をオンに設定することを決定するとともに受信可能であると判定し、受信不可を示す場合には、当該受信チャンネルは受信不可であると判定することを特徴とする請求項５記載の電子機器。
【請求項７】
前記プリセット手段は、前記増幅器をオフに設定したことによって前記チューナから得られる前記第２の受信ステータス情報に含まれるテレビジョン放送信号の入力レベル情報が前記第１のしきい値以上であって前記第２のしきい値未満である場合、前記第２の受信ステータス情報に含まれる受信可否情報が受信可を示す場合には、当該受信チャンネルについて前記増幅器をオフに設定することを決定するとともに受信可能であると判定し、受信不可を示す場合、前記増幅器をオンに再設定し、これによって前記チューナから得られる前記第１の受信ステータス情報に含まれる受信可否情報が受信可を示す場合には、当該受信チャンネルについて前記増幅器をオンに設定することを決定するとともに受信可能であると判定し、受信不可を示す場合には、当該受信チャンネルは受信不可であると判定することを特徴とする請求項６記載の電子機器。
【請求項８】
テレビジョン放送信号を入力するための入力手段と、前記入力手段を介して受信可能な複数のチャンネルのテレビジョン放送信号の中から目的のチャンネルのテレビジョン放送信号を選択して受信するためのチューナと、前記入力手段と前記チューナとの間に介在して設けられ、前記チューナに供給されるテレビジョン放送信号を増幅するための増幅器とを有する電子機器における受信チャンネルのプリセット方法であって、
前記増幅器をオンに設定し、これによって前記チューナから得られる受信ステータス情報に含まれるテレビジョン放送信号の入力レベル情報が第１のしきい値未満である場合、前記受信ステータス情報に含まれる受信可否情報が受信可を示す場合には、当該受信チャンネルについて前記増幅器をオンに設定することを決定するとともに受信可能であると判定し、受信不可を示す場合には、当該受信チャンネルは受信不可であると判定すること、
前記増幅器をオンに設定したことによって前記チューナから得られる受信ステータス情報に含まれるテレビジョン放送信号の入力レベル情報が前記第１のしきい値よりも大きい第２のしきい値を越えている場合、前記増幅器の増幅器をオフに再設定し、これによって前記チューナから得られる受信ステータス情報に含まれる受信可否情報が受信可を示す場合には、当該受信チャンネルについて前記増幅器をオフに設定することを決定するとともに受信可能であると判定し、受信不可を示す場合には、当該受信チャンネルは受信不可であると判定すること、
前記増幅器の増幅器をオンに設定したことによって前記チューナから得られる受信ステータス情報に含まれるテレビジョン放送信号の入力レベル情報が前記第１のしきい値以上であって前記第２のしきい値未満である場合、前記受信ステータス情報に含まれる受信可否情報が受信可を示す場合には、当該受信チャンネルについて前記増幅器をオンに設定することを決定するとともに受信可能であると判定し、受信不可を示す場合、前記増幅器をオフに再設定し、これによって前記チューナから得られる受信ステータス情報に含まれる受信可否情報が受信可を示す場合には、当該受信チャンネルについて前記増幅器をオフに設定することを決定するとともに受信可能であると判定し、受信不可を示す場合には、当該受信チャンネルは受信不可であると判定すること、
を具備することを特徴とするプリセット方法。
【請求項９】
テレビジョン放送信号を入力するための入力手段と、前記入力手段を介して受信可能な複数のチャンネルのテレビジョン放送信号の中から目的のチャンネルのテレビジョン放送信号を選択して受信するためのチューナと、前記入力手段と前記チューナとの間に介在して設けられ、前記チューナに供給されるテレビジョン放送信号を増幅するための増幅器とを有する電子機器における受信チャンネルのプリセット方法であって、
前記増幅器をオフに設定し、これによって前記チューナから得られる受信ステータス情報に含まれるテレビジョン放送信号の入力レベル情報が第１のしきい値よりも大きい第２のしきい値を越えている場合、前記受信ステータス情報に含まれる受信可否情報が受信可を示す場合には、当該受信チャンネルについて前記増幅器をオフに設定することを決定するとともに受信可能であると判定し、受信不可を示す場合には、当該受信チャンネルは受信不可であると判定すること、
前記増幅器をオフに設定したことによって前記チューナから得られる受信ステータス情報に含まれるテレビジョン放送信号の入力レベル情報が前記第１のしきい値未満である場合、前記増幅器をオンに再設定し、これによって前記チューナから得られる受信ステータス情報に含まれる受信可否情報が受信可を示す場合には、当該受信チャンネルについて前記増幅器をオンに設定することを決定するとともに受信可能であると判定し、受信不可を示す場合には、当該受信チャンネルは受信不可であると判定すること、
前記増幅器をオフに設定したことによって前記チューナから得られる受信ステータス情報に含まれるテレビジョン放送信号の入力レベル情報が前記第１のしきい値以上であって前記第２のしきい値未満である場合、前記受信ステータス情報に含まれる受信可否情報が受信可を示す場合には、当該受信チャンネルについて前記増幅器をオフに設定することを決定するとともに受信可能であると判定し、受信不可を示す場合、前記増幅器をオンに再設定し、これによって前記チューナから得られる受信ステータス情報に含まれる受信可否情報が受信可を示す場合には、当該受信チャンネルについて前記増幅器をオンに設定することを決定するとともに受信可能であると判定し、受信不可を示す場合には、当該受信チャンネルは受信不可であると判定すること、
を具備することを特徴とするプリセット方法。
【発明の詳細な説明】
【技術分野】
【０００１】
この発明は、テレビジョン放送番組を視聴、録画、再生するＴＶ（television）機能を備えるパーソナルコンピュータ等に好適な受信チャンネルのプリセット技術に関する。
【背景技術】
【０００２】
近年、バッテリ駆動可能な可搬型のパーソナルコンピュータは、例えばブラウザ、メーラ、テキストエディタ等の基本的なソフトウェアを動作させることができれば十分であるとして構成される低価格モデルと、例えばＡＶ（audio and visual）コンテンツを大画面で高精細かつ高音質で楽しむこと等ができる高機能モデルとに２極分化される傾向にある。そして、高機能モデルのパーソナルコンピュータの中には、テレビジョン放送番組を視聴、録画、再生するＴＶ機能を備えるものも少なくない。
【０００３】
ＴＶ機能を備えるパーソナルコンピュータには、アンテナと接続するための端子と、複数のチャンネルの中から目的のチャンネルを選択するためのＴＶチューナユニットとが設けられ、また、ユーザがパーソナルコンピュータを使用する地域で受信可能なチャンネルを検索（チャンネルスキャン、チャンネルサーチなどと称される）して設定するプリセット機能が搭載される。そして、ＴＶチューナユニットには、ユーザがパーソナルコンピュータを使用する環境下において、各チャンネルのテレビジョン放送信号を適切なレベルで受信するための増幅器（ゲイン制御回路）が内蔵されるのが一般的である。この増幅器による利得の調整手法については、これまで種々の提案がなされている（例えば特許文献１等参照）。
【０００４】
特許文献１のテレビジョン放送信号受信装置は、ＡＧＣ（automatic gain control）増幅器の利得設定情報を予め記憶し、チャンネルサーチ時に得た受信情報と利得設定情報とに基づき、受信チャンネル毎にＡＧＣ増幅器の利得を決定して切り換える。
【先行技術文献】
【特許文献】
【０００５】
【特許文献１】特開２００５−２０３０２号公報
【発明の概要】
【発明が解決しようとする課題】
【０００６】
ところで、特許文献１のテレビジョン放送信号受信装置では、ＡＧＣ増幅器の利得設定値（ゲイン値）を入力レベルのみから決定するため、多波妨害歪みの場合など、ゲイン値の決定が複雑な受信障害を防ぐことが難しい。
【０００７】
より具体的には、多波妨害歪みは、他のチャンネルの入力レベルが大きく、その数が多い場合に、受信チャンネルに影響を与える受信障害である。従って、受信チャンネルの入力レベルが小さいことのみでゲインをオンに設定してしまうと、このような多波妨害歪みが存在する場合には、他のチャンネルの信号も増幅し、受信障害を発生させてしまうこととなる。
【０００８】
つまり、ゲイン調整機能を有するＴＶチューナユニットにおいては、従来では、チャネルスキャン時に得た受信ステータス情報によりゲイン調整値を決定しておき、実際のチャネル受信時にそのゲイン調整値を設定して受信を行っていた。例えば、受信ステータス情報として入力レベルに関するステータス情報を取得し、入力レベルが大きい場合はゲインをオフに、入力レベルが小さい場合はゲインをオンに設定するといった、電界の強さに応じて受信性能の設定を行っていた。
【０００９】
しかしながら、受信チャンネル以外の多くのチャンネルの信号による影響で受信チャンネル波に歪みが生じて受信障害が発生すること（前述の多波妨害歪み）を、入力レベルのみから誤りなく確実に防ぐことは、実際のゲイン値の決定が複雑であり困難である。そのため、チャンネルスキャンの所要時間（各チャンネルのゲイン値の決定に費やす時間）を増大させることなく、多波妨害歪みなど実際のゲイン値の決定が複雑な受信障害を、より確実に防ぐ手法が求められていた。
【００１０】
この発明は、このような事情を考慮してなされたものであり、チャンネルスキャンの所要時間の増大を抑えつつ、強電界、弱電界性能に加え、多波妨害性能にも追従できる適切なゲイン調整を行うことを実現した電子機器および受信チャンネルのプリセット方法を提供することを目的とする。
【課題を解決するための手段】
【００１１】
この課題を解決するために、この発明の電子機器は、テレビジョン放送信号を入力するための入力手段と、前記入力手段を介して受信可能な複数のチャンネルのテレビジョン放送信号の中から目的のチャンネルのテレビジョン放送信号を選択して受信するためのチューナと、前記入力手段と前記チューナとの間に介在して設けられ、前記チューナに供給されるテレビジョン放送信号を増幅するための増幅器と、前記増幅器をオンに設定した状態で前記チューナから取得される受信チャンネルのテレビジョン放送信号の第１の受信ステータス情報と、前記増幅器をオフに設定した状態で前記チューナから取得される受信チャンネルのテレビジョン放送信号の第２の受信ステータス情報とを用いて、各チャンネルの受信可否の判定および前記増幅器のオンまたはオフの設定を行うプリセット手段と、を具備することを特徴とする。
【発明の効果】
【００１２】
この発明によれば、チャンネルスキャンの所要時間の増大を抑えつつ、強電界、弱電界性能に加え、多波妨害性能にも追従できる適切なゲイン調整を行うことを実現できる。
【図面の簡単な説明】
【００１３】
【図１】本発明の実施形態に係る電子機器のシステム構成を示す図。
【図２】従来におけるゲイン調整の決定手法の問題点を説明するための図。
【図３】同実施形態の電子機器におけるゲイン調整の決定手法を説明するための図。
【図４】同実施形態の電子機器のチャンネルスキャン時におけるゲイン調整の処理手順を示すフローチャート。
【発明を実施するための形態】
【００１４】
以下、図面を参照して、この発明の一実施形態を説明する。
【００１５】
図１は、この発明の実施形態に係る電子機器のシステム構成を示す図である。この電子機器は、例えばノートブックタイプのパーソナルコンピュータとして実現される。図１に示すように、この電子機器は、ＣＰＵ（central processing unit）１１、ＭＣＨ（memory controller hub）１２、主メモリ１３、ＩＣＨ（i/o controller hub）１４、ＧＰＵ（graphics processing unit：表示コントローラ）１５、ビデオメモリ（ＶＲＡＭ）１５Ａ、ＬＣＤ（liquid crystal display）１６、サウンドコントローラ１７、スピーカ１８、ＢＩＯＳ（basic input/output system）−ＲＯＭ（read only memory）１９、ＬＡＮ（local area network）コントローラ２０、ＨＤＤ（hard disk drive）２１、ＯＤＤ（optical disc drive）２２、無線ＬＡＮコントローラ２３、ＵＳＢ（universal serial bus）コントローラ２４、ＴＶチューナユニット２５、アンテナ端子２６、ＥＥＰＲＯＭ（electrically erasable programmable ROM）２７、ＥＣ／ＫＢＣ（embedded controller/keyBoard controller）２８、キーボード２９、ポインティングデバイス３０等を備えている。
【００１６】
ＣＰＵ１１は、この電子機器の動作を制御するプロセッサであり、ＨＤＤ２１やＯＤＤ２２から主メモリ１３にロードされる各種プログラムを実行する。このＣＰＵ１１によって実行される各種プログラムの中には、リソース管理を司るＯＳ１００や、当該ＯＳ１００の配下で動作する、後述するＴＶチューナ用デバイスドライバ１５０およびＴＶアプリケーションプログラム２００等が存在する。また、ＣＰＵ１１は、ＢＩＯＳ−ＲＯＭ１９に格納されたＢＩＯＳも実行する。ＢＩＯＳは、ハードウェア制御のためのプログラムである。
【００１７】
ＭＣＨ１２は、ＣＰＵ１１とＩＣＨ１４との間を接続するブリッジとして動作すると共に、主メモリ１３をアクセス制御するメモリコントローラとして動作する。また、ＭＣＨ１２は、ＧＰＵ１５との通信を実行する機能を有している。
【００１８】
ＧＰＵ１５は、ＬＣＤ１６を制御する表示コントローラである。ＧＰＵ１５は、ビデオメモリであるＶＲＡＭ１５Ａを有し、また、各種プログラムが表示しようとする画像をＣＰＵ１１に代わって描画するアクセラレータを搭載する。
【００１９】
ＩＣＨ１４は、ＵＳＢ接続された各ＵＳＢデバイスおよびＬＰＣ（Low Pin Count）バス上の各デバイスを制御する。ＩＣＨ１４は、ＨＤＤ２１およびＯＤＤ２２を制御するためのＩＤＥ（Integrated Device Electronics）コントローラを内蔵する。また、ＩＣＨ１４は、サウンドコントローラ１７やＬＡＮコントローラ２０との通信を実行する機能も有している。
【００２０】
サウンドコントローラ１７は音源デバイスであり、各種プログラムが再生対象とするオーディオデータをスピーカ１８に出力する。
【００２１】
ＬＡＮコントローラ２０は、例えばIEEE 802.3規格の有線通信を実行する有線通信デバイスである。一方、無線ＬＡＮコントローラ２３は、例えばIEEE 802.11規格の無線通信を実行する無線通信デバイスである。また、ＵＳＢコントローラ２４は、例えばUSB 2.0規格のシリアルバスを介して外部機器との通信を実行する。なお図１では、ＵＳＢコントローラ２４がＩＣＨ１４とは別に設けられている例を示しているが、ＵＳＢコントローラ２４がＩＣＨ１４に内蔵される構成を採用しても良い。
【００２２】
ＴＶチューナユニット２５は、複数のチャンネルのテレビジョン放送信号の中から目的のチャンネルのテレビジョン放送信号を選択して受信するためのユニットであり、アンテナ端子２６に接続されている。ＴＶチューナユニット２５は、ＴＶチューナ２５１とゲイン制御回路２５２とから構成されており、ＴＶチューナ２５１からゲイン制御回路２５２に対して供給されるゲイン制御信号によって、ゲイン制御回路２５２によるゲインをオンまたはオフに切り換えることができるようになっている。つまり、このＴＶチューナユニット２５は、ゲイン調整機能を有している。
【００２３】
前述のＴＶチューナ用デバイスドライバ１５０は、ハードウェアであるＴＶチューナユニット２５をソフトウェアで制御するためのプログラムである。そして、前述のＴＶアプリケーションプログラム２００は、このＴＶチューナ用デバイスドライバ１５０経由でＴＶチューナユニット２５を制御することにより、テレビジョン放送番組を視聴、録画、再生するＴＶ機能を提供するためのプログラムである。より具体的には、ＴＶアプリケーションプログラム２００は、ＴＶチューナユニット２５によって受信したテレビジョン放送番組を視聴するためのライブ再生処理、受信したテレビジョン放送番組をＨＤＤ２１に記録する録画処理およびＨＤＤ２１に記録されたテレビジョン放送番組を再生する再生処理等を実行する。
【００２４】
ＴＶチューナ用デバイスドライバ１５０は、ユーザがこの電子機器を使用する地域で受信可能なチャンネルを検索（チャンネルスキャン、チャンネルサーチ）して設定するプリセット機能を有している。また、このプリセット時、受信可能なチャンネルそれぞれについて、ゲイン制御回路２５２によるゲインをオンまたはオフのいずれに設定するかを判定する機能を有している。そして、この電子機器は、ＴＶチューナ用デバイスドライバ１５０が、チャンネルスキャンの所要時間（各チャンネルについてのゲイン制御回路２５２によるゲインのオンまたはオフの決定に費やす時間）の増大を抑えつつ、強電界、弱電界性能に加え、多波妨害性能にも追従すべく、ゲイン制御回路２５２によるゲインをオンまたはオフのいずれに設定すべきかを適切に判定することを実現したものであり、以下、この点について詳述する。
【００２５】
なお、ＥＥＰＲＯＭ２７は、例えばこの電子機器の識別情報などを格納するためのメモリデバイスである。また、ＥＣ／ＫＢＣ２８は、電力管理を行うためのエンベデッドコントローラと、キーボード２９およびポインティングデバイス３０の操作によるデータ入力を制御するためのキーボードコントローラとが集積された１チップＭＰＵ（Micro Processing Unit）である。
【００２６】
次に、以上のような構成を持つ電子機器のチャンネルスキャン時におけるゲイン調整の決定の基本原理について説明する。
【００２７】
まず、本実施形態におけるゲイン調整の決定手法の理解を助けるために、図２を参照して、従来におけるゲイン調整の決定手法の問題点を説明する。
【００２８】
いま、図２に示すように、受信チャンネルの入力レベルが予め定められた１つのしきい値（ｔｈ）未満であったと想定する。かつ、他のチャンネルの信号による影響、つまりノイズが高いレベルで発生し、多波妨害歪みが存在している状況であるものと想定する。このような場合でも、従来では、受信チャンネルの入力レベルがしきい値（ｔｈ）未満であることのみ、つまり強電界、弱電界性能のみによって、ゲインをオンに設定することが決定される。しかしながら、そうすると、他のチャンネルの信号（ノイズ）も増幅され、受信障害を発生させてしまう。
【００２９】
そこで、本実施形態の電子機器では、図３に示すように、まず、受信チャンネルの入力レベルの大小を判定するためのしきい値を２つ設定する（ｔｈ１，ｔｈ２）。しきい値ｔｈ１は、ゲインをオンに設定しなければ明らかに受信できない弱電界のレベルとし、しきい値ｔｈ２は、ゲインをオフに設定しなければ明らかに受信できない強電界のレベルとする。つまり、しきい値ｔｈ１＜しきい値ｔｈ２の関係にある。なお、図３には、参考のために、従来の１つのしきい値（ｔｈ）も併せて示している。
【００３０】
ＴＶチューナ用デバイスドライバ１５０は、テレビジョン放送信号の搬送波として用いられる周波数帯の例えば低周波数側から高周波数側に向かう方向に、受信チャンネルの周波数を設定する指示をＴＶチューナユニット２５に順次に通知していく。そして、ＴＶチューナ用デバイスドライバ１５０は、この指示を通知する際、ゲインをオンに設定する指示を併せて通知する。つまり、ここでは、ゲインをオンに設定した状態を各チャンネルのゲイン調整のデフォルト設定値とする。そして、これらの設定を行わせた上で、ＴＶチューナ用デバイスドライバ１５０は、ＴＶチューナユニット２５から受信ステータス情報を取得する。
【００３１】
この受信ステータス情報には、テレビジョン放送信号の入力レベル情報や受信可否情報が含まれている。ＴＶチューナユニット２５は、電界強度を入力レベル情報として受信ステータス情報に含ませ、また、例えばテレビジョン放送信号のエラーレートが所定の値未満（受信可）か否（受信不可）かを示すフラグを受信可否情報として受信ステータス情報に含ませる。
【００３２】
もし、受信チャンネルの入力レベルがしきい値ｔｈ１未満であれば、ＴＶチューナ用デバイスドライバ１５０は、その時点で、当該受信チャンネルについては、ゲインをオンに設定することを決定し、受信可否を受信可否情報で調べる。受信可能であれば、当該受信チャンネルを、（ゲインをオンに設定して）受信可能なチャンネルとしてプリセット対象に加える。受信不可であったならば、ＴＶチューナ用デバイスドライバ１５０は、当該受信チャンネルをプリセット対象から除外する。
【００３３】
また、もし、受信チャンネルの入力レベルがしきい値ｔｈ２を越えていれば、ＴＶチューナ用デバイスドライバ１５０は、その時点で、当該受信チャンネルについては、ゲインをオフに設定することを決定し、ゲインをオフに設定する指示をＴＶチューナユニット２５に通知する。そして、この設定を行わせた上で、ＴＶチューナ用デバイスドライバ１５０は、ＴＶチューナユニット２５から受信ステータス情報を改めて取得する。
【００３４】
ＴＶチューナ用デバイスドライバ１５０は、この改めて取得した受信ステータス情報に含まれる受信可否情報が受信可能を示していれば、当該受信チャンネルを、（ゲインをオフに設定して）受信可能なチャンネルとしてプリセット対象に加える。受信不可であったならば、ＴＶチューナ用デバイスドライバ１５０は、当該受信チャンネルをプリセット対象から除外する。
【００３５】
上記以外の場合、即ち、受信チャンネルの入力レベルがしきい値ｔｈ１以上であって、しきい値ｔｈ２未満である場合、ＴＶチューナ用デバイスドライバ１５０は、まず、ゲインをオンに設定したデフォルト状態で取得された受信ステータス情報に含まれる受信可否情報で受信可否を調べる。そして、受信可能であれば、当該受信チャンネルを、（ゲインをオンに設定して）受信可能なチャンネルとしてプリセット対象に加える。
【００３６】
一方、受信不可であったならば、ＴＶチューナ用デバイスドライバ１５０は、ゲインをオフに設定する指示をＴＶチューナユニット２５に通知し、この設定を行わせた上で、ＴＶチューナユニット２５から受信ステータス情報を改めて取得する。そして、ＴＶチューナ用デバイスドライバ１５０は、この改めて取得した受信ステータス情報に含まれる受信可否情報で受信可否を調べ、受信可能であれば、当該受信チャンネルを、（ゲインをオフに設定して）受信可能なチャンネルとしてプリセット対象に加える。受信不可であったならば、ＴＶチューナ用デバイスドライバ１５０は、当該受信チャンネルをプリセット対象から除外する。
【００３７】
例えば図２に示すような、やや弱電界のレベルで、かつ、多波妨害歪みが存在している状況のチャンネルの場合、ゲインをオンにするとノイズとの関係で却ってテレビジョン放送信号のエラーレートが高まって受信不可となってしまうおそれがある。本実施形態の電子機器では、（入力レベルがしきい値ｔｈ１以上であって、しきい値ｔｈ２未満であるチャンネルの場合）ゲインをオンにすると受信不可となってしまう場合、ゲインをオフにして受信可否判定を再試行するので、ゲインをオフにすると受信可能であるならば、そのチャンネルを適切な条件下でプリセット対象に加えることができる。また、ゲインをオフにしても受信不可であるならば、ゲイン調整しても正しく受信することのできない当該チャンネルをプリセット対象から確実に除外することができる。つまり、強電界、弱電界性能に加え、多波妨害性能にも追従できるゲイン調整を実現する。
【００３８】
また、入力レベルがしきい値ｔｈ１以上であって、しきい値ｔｈ２未満であるチャンネルのみを、多波妨害歪みが発生する可能性のあるチャンネルとする絞り込みを行うことにより、（多波妨害性能にも追従できるようにしたことに伴う）チャンネルスキャンの所要時間の増大を抑えることも併せて実現する。
【００３９】
図４は、本実施形態の電子機器のチャンネルスキャン時におけるゲイン調整の処理手順を示すフローチャートである。
【００４０】
ＴＶチューナ用デバイスドライバ１５０は、受信チャンネルの周波数を設定する指示をＴＶチューナユニット２５に通知し（ステップＡ１）、また、ゲインをオンに設定する指示をＴＶチューナユニット２５に通知する（ステップＡ２）。そして、これらの設定を行わせた上で、ＴＶチューナ用デバイスドライバ１５０は、ＴＶチューナユニット２５から受信ステータス情報（第１の受信ステータス情報）を取得する（ステップＡ３）。
【００４１】
受信ステータス情報を取得すると、ＴＶチューナ用デバイスドライバ１５０は、入力レベルがしきい値ｔｈ１未満か否かを調べ（ステップＡ４）、しきい値ｔｈ１未満である場合（ステップＡ４のＹＥＳ）、当該受信チャンネルについて、ゲインをオンに設定することを決定する（ステップＡ５）。そして、ＴＶチューナ用デバイスドライバ１５０は、受信可能な状態か否かを調べ（ステップＡ１５）、受信可能な状態であれば（ステップＡ１５のＹＥＳ）、当該受信チャンネルは受信可能であると判定し（ステップＡ１６）、受信不可能な状態であれば（ステップＡ１５のＮＯ）、当該受信チャンネルは受信不可能であると判定する（ステップＡ１７）。
【００４２】
また、入力レベルがしきい値ｔｈ１未満でない場合（ステップＡ４のＮＯ）、ＴＶチューナ用デバイスドライバ１５０は、続いて、当該入力レベルがしきい値ｔｈ２を越えているか否かを調べる（ステップＡ６）。しきい値ｔｈ２を越えている場合（ステップＡ６のＹＥＳ）、ＴＶチューナ用デバイスドライバ１５０は、当該受信チャンネルについて、ゲインをオフに設定することを決定する（ステップＡ７）。この時、ＴＶチューナ用デバイスドライバ１５０は、ゲインをオフに再設定する指示をＴＶチューナユニット２５に通知し、この設定を行わせた上で、ＴＶチューナユニット２５から受信ステータス情報（第２の受信ステータス情報）を改めて取得する（ステップＡ１４）。
【００４３】
ＴＶチューナ用デバイスドライバ１５０は、この改めて取得した受信ステータス情報から受信可能な状態か否かを調べ（ステップＡ１５）、受信可能な状態であれば（ステップＡ１５のＹＥＳ）、当該受信チャンネルは受信可能であると判定し（ステップＡ１６）、受信不可能な状態であれば（ステップＡ１５のＮＯ）、当該受信チャンネルは受信不可能であると判定する（ステップＡ１７）。
【００４４】
入力レベルが、しきい値ｔｈ１未満でなく、かつ、しきい値ｔｈ２も越えていない場合（ステップＡ４のＮＯ，ステップＡ６のＮＯ）、ＴＶチューナ用デバイスドライバ１５０は、その時点で取得されている受信ステータス情報から受信可能な状態か否かを調べ（ステップＡ８）、受信可能な状態であれば（ステップＡ８のＹＥＳ）、当該受信チャンネルについて、ゲインをオンに設定することを決定すると共に（ステップＡ９）、受信可能であると判定する（ステップＡ１６）。
【００４５】
受信不可能な状態であれば（ステップＡ８のＮＯ）、ＴＶチューナ用デバイスドライバ１５０は、ゲインをオフに再設定する指示をＴＶチューナユニット２５に通知し（ステップＡ１０）、この設定を行わせた上で、ＴＶチューナユニット２５から受信ステータス情報（第２の受信ステータス情報）を改めて取得する（ステップＡ１１）。そして、ＴＶチューナ用デバイスドライバ１５０は、この改めて取得した受信ステータス情報から受信可能な状態か否かを調べ（ステップＡ１２）、受信可能な状態であれば（ステップＡ１２のＹＥＳ）、当該受信チャンネルについて、ゲインをオフに設定することを決定すると共に（ステップＡ１３）、受信可能であると判定する（ステップＡ１６）。受信不可能な状態であれば（ステップＡ１２のＮＯ）、ＴＶチューナ用デバイスドライバ１５０は、当該受信チャンネルは受信不可能であると判定する（ステップＡ１７）。
【００４６】
１つのチャンネルについて、上記ステップＡ１〜ステップＡ１７によって受信可否の判定およびゲインのオンまたはオフの判定を行うと、ＴＶチューナ用デバイスドライバ１５０は、すべての周波数について処理を完了したか否かを判定し（ステップＡ１８）、未処理のチャンネルが残存していたならば（ステップＡ１８のＮＯ）、残存するチャンネルについてステップＡ１からの処理を繰り返す。そして、すべてのチャンネルについて処理を完了したら（ステップＡ１８のＹＥＳ）、チャンネルスキャンを終了する。
【００４７】
以上のように、本実施形態の電子機器によれば、チャンネルスキャンの所要時間の増大を抑えつつ、強電界、弱電界性能に加え、多波妨害性能にも追従できる適切なゲイン調整を行うことが実現される。
【００４８】
なお、ここでは、ゲインをオンに設定した状態を各チャンネルのゲイン調整のデフォルト設定値とする例を説明したが、ゲインをオフに設定した状態を各チャンネルのゲイン調整のデフォルト設定値とすることも当然に可能である。この場合には、入力レベルがしきい値ｔｈ１以上であって、しきい値ｔｈ２未満であるチャンネルのみを対象として、ゲインがオフだと受信不可となってしまうチャンネルについて、ゲインをオンにして受信可否判定を再試行する手順とすれば良い。
【００４９】
また、ここでは、ＴＶ機能を備えるパーソナルコンピュータを例に説明したが、本実施形態におけるゲイン調整の決定手法は、専用のテレビジョン受像機などにも適用できることは言うまでもない。
【００５０】
このように、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００５１】
１１…ＣＰＵ、１２…ＭＣＨ、１３…主メモリ、１４…ＩＣＨ、１５…ＧＰＵ、１５Ａ…ビデオメモリ（ＶＲＡＭ）、１６…ＬＣＤ、１７…サウンドコントローラ、１８…スピーカ、１９…ＢＩＯＳ−ＲＯＭ、２０…ＬＡＮコントローラ、２１…ＨＤＤ、２２…ＯＤＤ、２３…無線ＬＡＮコントローラ、２４…ＵＳＢコントローラ、２５…ＴＶチューナユニット、２６…アンテナ端子、２７…ＥＥＰＲＯＭ、２８…ＥＣ／ＫＢＣ、２９…キーボード、３０…ポインティングデバイス、１００…ＯＳ、１５０…ＴＶチューナ用デバイスドライバ、２００…ＴＶアプリケーションプログラム、２５１…ＴＶチューナ、２５２…ゲイン制御回路。
【図１】
2011147029.tif 000003
【図２】
2011147029.tif 000004
【図３】
2011147029.tif 000005
【図４】
2011147029.tif 000006